(57)【特許請求の範囲】
【請求項１】
内容液を収容する容器本体と、前記容器本体の口元部に装着されて前記内容液を中空部から注出する概略筒状のノズルを有したノズル部材と、前記ノズルから注出される内容液を一時貯留する貯留筒部を有しかつ前記ノズル部材に着脱自在に装着されるキャップとを備えた液体注出容器であって、
前記ノズル部材が、ノズルの基部から軸方向先方に向けて立ち上がり、ノズルの先端の注ぎ口から側面のスリットに亘って中空部が開放するノズルと、該ノズルの基部の外方向を環状に取り囲んで形成された外側環状傾斜底部と、前記ノズルの基部の内方向を塞ぐように形成された内側傾斜底部と、前記外側環状傾斜底部を経て前記ノズルとの間にキャップの貯留筒部が挿入可能な空間を隔てて先方に向けて立ち上がる筒状壁部とを有し、
前記ノズルは、その先端に開口した注ぎ口の周縁部において、ノズル軸心を挟んでスリット形成側よりもその反対側が先方に位置するように形成されていると共に、前記内側傾斜底部および前記外側環状傾斜底部がノズルの軸心を挟んで前記の注ぎ口周縁部の先端側よりもスリット形成側が後方に位置するように傾斜して平坦に形成され、
前記内側傾斜底部には、前記ノズルの軸心を挟んで反スリット形成側から前記内側傾斜底部の最後端部に至る開口部を形成し、
前記内側傾斜底部から、前記ノズル軸心を挟んで反スリット形成側のノズル内壁面に亘って該開口部縁の前記最後端部以外の箇所である開口部縁を挟んで垂直方向に立ち上がらせた、液流幅を制御するための一対のガイド壁を設け、
前記ノズル側面のスリットが前記ノズルの基部まで形成され、前記基部のスリット内に前記内側傾斜底部の最後端部が位置するように形成され、前記一対のガイド壁が前記スリット形成側に向けて開放しており、
前記キャップの貯留筒部の外壁にその外壁を椀状に覆い、前記ノズル部材の筒状壁部に着脱自在に装着するための第１の椀状装着部を形成し、
前記ノズル部材の筒状壁部の外壁面にその外壁面を椀状に覆い前記容器本体口元部に装着するための第２の椀状装着部を設けたことを特徴とする液体注出容器。
【請求項２】
ノズル部材において、ノズルの基部からノズル内方向を塞ぐように結合する内側傾斜底部および開口部の総面積が、ノズルの基部からノズル外方向に形成された外側環状傾斜底部の面積よりも大きく設定されていることを特徴とする請求項１に記載の液体注出容器。
【請求項３】
ノズル部材のノズルにはその先端の注ぎ口からスリットが連続して形成されると共に、ノズル内壁面に形成される一対のガイド壁がノズル軸心に平行に形成され、該一対のガイド壁の開放幅よりもスリットの開放幅が広く形成されていることを特徴とする請求項１に記載の液体注出容器。
【発明の詳細な説明】
【技術分野】
【０００１】
本発明は、内容液を注出するノズルを有したノズルキャップを容器に装着し、そのノズルキャップに着脱自在に装着するオーバキャップを有する液体注出容器に関する。
【背景技術】
【０００２】
従来、ボトル（容器）と、内容液を注出するノズルを有して前記ボトルに装着されるノズルキャップと、ノズルキャップから注出された内容液を計量する計量部を有し前記ノズルキャップに着脱自在に装着される計量キャップからなる液体注出容器が使用されている（例えば、特許第３８１０５７１号公報：特許文献１参照）。
【０００３】
この種の液体注出容器では、ノズル外壁に垂れた液や出過ぎてノズルキャップに戻した液は、ノズル底部に結合された傾斜底部を流れ下り、底部の下端部に形成された貫通孔からボトル内に回収されるようにしている。このとき、この液が容器内に完全に回収されずに残留していると、次にノズルから内容液を注ぎ出すときに、残留していた液がノズルの脇から流れ落ち、液だれを生じて周囲を汚損してしまう場合があった。
【０００４】
上記液だれを防止するため、特許文献１では、計量キャップの計量筒外壁面とノズルキャップの筒状壁部との間隙が０．５ｍｍ〜２．０ｍｍでノズルキャップの筒状壁部または計量キャップ計量筒部外壁面の何れかに少なくとも１本以上の縦リブを設けたものを開示している。この縦リブによって、計量キャップとノズル部材との間隙に液が残留することを防止している。
【０００５】
また、特開２０００−３０２１５５号公報（：特許文献２）では、ノズルキャップのノズル底部とノズルの境界部分、およびノズル底部と筒状壁部との境界部分に、環状空間の幅寸法の半分以下に曲率半径を有する曲面部が形成された液剤注出容器を開示している。ノズルキャップのノズル底部とノズルの境界部分、およびノズル底部と筒状壁部との境界部分に形成した曲面部分によって液剤の流下を円滑にして、ノズル底部の周囲で液残留することの防止を図っている。
【０００６】
また、実公平０８−０６７６１号公報（：特許文献３）では、ノズルキャップの注出筒開放部の垂直方向の延長幅範囲内に、空気筒全域とせき止め部全域が位置する注出キャップ体を開示している。これによれば、せき止め部開口縁よりも注出筒立設基端部の端面外縁が上位に位置するように形成したものである。この構成によって、空気孔からの注出筒外側への液流出防止と、注出口と空気孔の一体化による液のスムーズな流出を図るようにしている。
【０００７】
また、特開２０００−２５８２１号公報（：特許文献４）では、注出筒の外周壁面に液体回収用の液体傾斜案内部が液体回収用開口部に向けて設けられた液体注出容器が開示されている。この構成によって、注出筒外側に垂れた液を容器内に効果的に回収するようにしている。
【０００８】
また、特開２００１−１９９４６５号公報（：特許文献５）では、計量キャップをノズルキャップに装着した状態、互いに近接する計量キャップの注ぎ口先端部とノズルキャップの内面の少なくとも一方に液流動化部（鋸歯状に切り欠いた凹凸部または段差部）を有するキャップ付容器を開示している。計量キャップをノズルキャップに螺着する際に、計量キャップの回転運動によって前記流動化部が該計量キャップ先端とノズルキャップ内面の近接部付近の残留液体に外力を付与し流動化して、容器内へ効率的に回収するようにしている。
【０００９】
また、特許第３４７９２６１号公報（：特許文献６）では、注出筒外面におけるスリットの両側にリブを設けて、注出筒の基端側のスリット幅を狭く、先端側のスリット幅を広く設定し、リブは少なくともスリット幅の狭い部分の全域に対応して設けられているキャップ付容器を開示している。リブを設けたことにより、注出筒スリットから外側への液漏れ防止、液の大量流出の防止し、液戻し時間の短縮を図るようにしたものである。
【００１０】
実公平０７−５１４８１号公報（：特許文献７）では、注出筒の底部に液戻し孔を有し、注出筒の基部二段差を形成し、その段差にキャップ内と容器内とを連通する連通孔を形成し、その連通孔の上下に円周方向に延びる壁を形成した液状物容器の注出栓を開示している。これによれば、二つの液戻し部により残存液を容器内に効率的に回収するようにしている。
【特許文献１】特許第３８１０５７１号公報
【特許文献２】特開２０００−３０２１５５号公報
【特許文献３】実公平０８−０６７６１号公報
【特許文献４】特開２０００−２５８２１号公報
【特許文献５】特開２００１−１９９４６５号公報
【特許文献６】特許第３４７９２６１号公報
【特許文献７】実公平０７−５１４８１号公報
【発明の開示】
【発明が解決しようとする課題】
【００１１】
前述の如くノズル部材を備えた従来の液体注出容器では、計量キャップとノズル部材との間に残った液を容器（ボトル）内に回収する種々の構造を設けている。
【００１２】
しかしながら、ノズルキャップのノズルは流出液量が多すぎると計量作業性が低下するため、流路断面が小さく設計されているが、一方でノズル断面が小さいためパウチからの詰め替えがし難いという不具合があった。
【００１３】
本発明は、斯かる実情に鑑み、ノズル部材の脇からの液だれを防止し、かつ、流出液量の調整が自在にしつつ詰め替え作業性にも優れる液体注出容器を提供しようとするものである。
【課題を解決するための手段】
【００１４】
本発明は液体注出容器にかかるものである。
【００１５】
本発明は、内容液を収容する容器本体と、前記容器本体の口元部に装着されて前記内容液を中空部から注出する概略筒状のノズルを有したノズル部材と、前記ノズルから注出される内容液を一時貯留する貯留筒部を有しかつ前記ノズル部材に着脱自在に装着されるキャップとを備えた液体注出容器であって、
前記ノズル部材が、ノズルの基部から軸方向先方に向けて立ち上がり、ノズルの先端の注ぎ口から側面のスリットに亘って中空部が開放するノズルと、該ノズルの基部の外方向を環状に取り囲んで形成された外側環状傾斜底部と、前記ノズルの基部の内方向を塞ぐように形成された内側傾斜底部と、前記外側環状傾斜底部を経て前記ノズルとの間にキャップの貯留筒部が挿入可能な空間を隔てて先方に向けて立ち上がる筒状壁部とを有し、
前記ノズルは、その先端に開口した注ぎ口の周縁部において、ノズル軸心を挟んでスリット形成側よりもその反対側が先方に位置するように形成されていると共に、前記内側傾斜底部および前記外側環状傾斜底部がノズルの軸心を挟んで前記の注ぎ口周縁部の先端側よりもスリット形成側が後方に位置するように傾斜して平坦に形成され、
前記内側傾斜底部には、前記ノズルの軸心を挟んで反スリット形成側から前記内側傾斜底部の最後端部に至る開口部を形成し、
前記内側傾斜底部から、前記ノズル軸心を挟んで反スリット形成側のノズル内壁面に亘って該開口部縁の前記最後端部以外の箇所である開口部縁を挟んで垂直方向に立ち上がらせた、液流幅を制御するための一対のガイド壁を設け、
前記ノズル側面のスリットが前記ノズルの基部まで形成され、前記基部のスリット内に前記内側傾斜底部の最後端部が位置するように形成され、前記一対のガイド壁が前記スリット形成側に向けて開放しており、
前記キャップの貯留筒部の外壁にその外壁を椀状に覆い、前記ノズル部材の筒状壁部に着脱自在に装着するための第１の椀状装着部を形成し、
前記ノズル部材の筒状壁部の外壁面にその外壁面を椀状に覆い前記容器本体口元部に装着するための第２の椀状装着部を設けたことを特徴とする液体注出容器である。
【００１６】
本発明においては、ノズル部材において、ノズルの基部からノズル内方向を塞ぐように結合する内側傾斜底部および開口部の総面積が、ノズルの基部からノズル外方向に形成された外側環状傾斜底部の面積よりも大きく設定されていることが好適である。
【００１７】
本発明においては、ノズル部材のノズルにはその先端の注ぎ口からスリットが連続して形成されると共に、ノズル内壁面に形成される一対のガイド壁がノズル軸心に平行に形成され、該一対のガイド壁の開放幅よりもスリットの開放幅が広く形成されていることが好適である。
【発明の効果】
【００１８】
本発明の請求項１〜３記載の液体注出容器によれば、ノズルが、その先端に開口した注ぎ口の周縁部において、ノズル軸心を挟んでスリット形成側よりもその反対側が先方に位置するように形成されていると共に、前記外側環状傾斜底部および前記内側傾斜底部がノズルの軸心を挟んで前記の注ぎ口周縁部の先端側よりもスリット形成側が後方に位置するように傾斜して形成されているので、容器本体を傾けて内容液を注出する際に、先方に位置する注ぎ口の開口周縁部で内容液を導くので、例えばキャップ内の貯留筒部に流し込むことが容易にできる。
【００１９】
しかも、内側傾斜底部からノズル内壁面に亘って前記開口部縁を挟んで垂直方向に立ち上がり液流幅を制御する一対のガイド壁を設けているので、前記注出に際してこの一対のガイド壁が内容液を確実に導いて、キャップ内の貯留筒部等に必要量こぼさずに流し込むことができる。
【００２０】
また、前記内側傾斜底部には、前記内側傾斜底部の最後端部に至る開口部を形成しているので、使用後のキャップをノズル部材に嵌めた後に、キャップからノズル部材内に垂れた内容液が外側環状状傾斜底部と内側傾斜底部とを流れて前記内側傾斜底部の最後部に至る開口部周辺に集まり、その開口部を通して容器本体内に流れ込ませて回収することができる。
【００２１】
本発明において、内側傾斜底部および開口部の総面積が、ノズルの基部からノズル外方向に形成された外側環状傾斜部の面積よりも大きく設定されていれば、ノズルから内容液を注出する際に、ノズル内の断面積を大きくとれるので、多量の内容液を流すときでも抵抗無く流すことができる。また、ノズルが太くノズル外の筒状壁部との間の空間に液が流れ込み難く、また流れ込んだとしてもその液量が少なくなるため、脇からの液だれが一層生じ難くすることができる。この場合、内容液の注出は、開口部から出た内容液がガイド壁部に導かれて漏れることなく流れる。また、ノズルが太く、出しすぎの液を戻すときや詰め替え時に液を注ぎ込みやすい。また、ノズルの注ぎ口から、別途、詰め替え容器に収容された内容液を注ぎ込む際に、ノズル内の断面積が広くつまりノズル開口が広いので内容液を流し込みやすいと共に、詰め替え容器の注ぎ口をガイド壁内に差込んで固定できるので、柔らかくて不安定になりやすい詰め替え容器を安定して支えて容器に流し込むことができる。また、注出部は内側傾斜底部の一部でノズル断面積より小さく設定されているので、液が出過ぎることがない。
【００２２】
また、本発明において、一対のガイド壁の開放幅よりもスリットの開放幅を広く形成すれば、詰め替え容器を確実に一対のガイド壁間に挟み付けて支持することができ、柔らかく使用者が持つときに不安定になりやすい詰め替え容器の注出口元部をより一層安定して支えて内容液を容器に流し込むことができる、という優れた効果を奏し得る。
【発明を実施するための最良の形態】
【００２３】
以下、本発明の実施の形態を、添付図面を参照して説明する。
【００２４】
図１〜図６は本発明の実施形態に係る液体注出容器である。
【００２５】
図１は実施形態の液体注出容器の口元部付近を示す側面図、図２は同液体注出容器のノズル部材とキャップの詳細縦断面図、図３（ａ）、（ｂ）は同ノズル部材を説明図する平面図、正面図、図４（ａ）、（ｂ）、（ｃ）は同ノズル部材を説明図する左側面図、右側面図、下面図、図５（ａ）、（ｂ）は同ノズル部材を説明図する図３（ａ）のＡ−Ａ線、Ｂ−Ｂ線にそれぞれ沿う各縦断面図、図６は同ノズル部材の斜視図である。
【００２６】
実施形態の液体注出容器は、図１に示すように、内容液を収容する容器本体１０（部分的に図示）と、前記容器本体１０の口元部１２に装着されて容器本体１０を傾けることによって前記内容液を中空部から注出する概略筒状のノズル１４を有したノズル部材１６と、前記ノズル１４から注出される内容液を一時貯留する貯留筒部１８を有しかつ前記ノズル部材１６に着脱自在に装着されるキャップ２０とを備えた液体注出容器である。
【００２７】
前記ノズル部材１６は、図２〜図６に示すように、ノズル１４の基部１４ａから軸方向（ノズル部材１６の軸方向を符号Ｓで示す）の先方（図１〜図２等で上方）に向けて立ち上がり、ノズル１４の先端の注ぎ口１４ｂから側面のスリット２２に亘って中空部が開放するノズル１４と、該ノズル１４の基部１４ａの外方向を環状に取り囲んで形成された外側環状傾斜底部２４と、前記ノズル１４の基部１４ａの内方向を塞ぐように形成された内側傾斜底部２６と、前記外側環状傾斜底部２４を経て前記ノズル１４との間にキャップ２０の貯留筒部１８が挿入可能な空間２８を隔てて先方に向けて立ち上がる筒状壁部３０とを有している。
【００２８】
前記ノズル部材１６の軸心（軸方向）は図中符号「Ｓ」で示し、軸方向先方が符号「ＳＦ」、後方が符号「ＳＲ」である。また、液体注出容器を床上や卓上に置いた際に容器本体１０の口元が上を向き、ノズル部材１６のノズル１４先方の注ぎ口１４ｂが上を向く。使用時に、内容液をキャップ２０に注ぐ際にはノズル１４先方の注ぎ口１４ｂは横から斜め下を向くものである。
【００２９】
また、前記ノズル１４の先端の注ぎ口１４ｂは、液をキャップ２０等外部に向けて注出する口であると共に詰め替え容器からノズル部材１６を介して容器本体１０内に注ぎ込む口である。
【００３０】
前記ノズル１４は、その先端に開口した注ぎ口１４ｂの周縁部において、ノズル１４軸心Ｓを挟んでスリット２２形成側よりもその反対側が先方に位置するように形成されていると（図２、図５（ｂ）参照）共に、前記内側傾斜底部２６および前記外側環状傾斜底部２４がノズル１４の軸心Ｓを挟んで前記の注ぎ口１４ｂ周縁部の先端側よりもスリット２２形成側が後方に位置するように傾斜して形成されている。
【００３１】
前記内側傾斜底部２６には、前記内側傾斜底部２６の最後端部２６ａに至る開口部２６ｂを形成し、前記内側傾斜底部２６からノズル１４内壁面に亘って該開口部２６ｂ縁を挟んで垂直方向に立ち上がり液流幅を制御する一対のガイド壁３２を設けている。
【００３２】
前記キャップ２０は貯留筒部１８が内容液を必要量貯留する容積の筒状に形成され（必要に応じて計量目盛りを施した計量部とする）、貯留筒部１８の外壁にその外壁を椀状に覆い前記ノズル部材１６の筒状壁部３０に着脱自在に装着するためのフランジ部（「第１の椀状装着部」に相当）３４を形成している。詳しくは、このフランジ部３４では、貯留筒部１８の開放側端部（図１、図２では下側）の内面に前記ノズル部材１６の筒状壁部３０の上端に形成されたネジ部（雄ネジ）３０ａに螺合するネジ部（雌ネジ）３４ａが形成される。この構成により前記キャップ２０のネジ部３４ａによる前記筒状壁部３０の上端部への螺合により、前記キャップ２０が前記筒状壁部３０の上端部に装着される。
【００３３】
前記ノズル部材１６の筒状壁部３０の外壁面にその外壁面を椀状に覆い前記容器本体１０口元部１２に装着するためのフランジ部（「第２の椀状装着部」に相当）３６を設けたものである。詳しくは、前記フランジ部３６は、筒状壁部３０の外壁面を取り巻いて、後方に向けて周壁が垂下し、この周壁の内面の先端部には、前記容器本体１０の口元部１２に形成されたネジ部（雄ネジ、図示省略）に螺合するネジ部（雌ネジ）３６ａが形成されている。前記フランジ部３６による前記容器本体１０の口元部１２への螺合により前記ノズル部材１６が前記容器本体１０の口元部１２に装着されるようになっている。
【００３４】
前記ノズル部材１６において、ノズル１４の基部１４ａからノズル１４内方向を塞ぐように結合する内側傾斜底部２６および開口部２６ｂの総面積が、ノズル１４の基部１４ａからノズル１４外方向に形成された外側環状傾斜底部２４の面積よりも大きく設定されている。
【００３５】
また、ノズル部材１６のノズル１４にはその先端の注ぎ口１４ｂからスリット２２が連続して形成されると共に、ノズル１４内壁面に形成される一対のガイド壁３２がノズル１４軸心Ｓに平行に形成され、該一対のガイド壁３２の開放幅よりもスリット２２の開放幅が広く形成されている（図６等参照）。
【００３６】
ガイド壁３２の開放幅は、パウチ等の詰め替え容器の注出口を嵌り込ませて支持できる適宜の間隔例えば４〜１０ｍｍ程度が好ましい。
【００３７】
なお、本体容器は、ポリエチレン（ＰＥ）やポリプロピレン（ＰＰ）、ポリエチレンテレフタレート(ＰＥＴ)、或いはエチレンビニルアルコール（ＥＶＯＨ）とポリエチレン等との多層構造等で樹脂成形されたものである。
ノズル部材１６およびキャップ２０は、ＰＥ、ＰＰ、ＡＢＳ等で形成できる。
【００３８】
次に、上記した実施の形態の作用を説明する。
【００３９】
ノズル１４の先端に開口した注ぎ口１４ｂの周縁部において、ノズル１４軸心Ｓを挟んでスリット２２形成側よりもその反対側が先方に位置するように形成されていると共に、前記外側環状傾斜底部２４および前記内側傾斜底部２６がノズル１４の軸心Ｓを挟んで前記の注ぎ口１４ｂ周縁部の先端側よりもスリット２２形成側が後方に位置するように傾斜して形成されているので、使用者が容器本体１０を傾けて内容液を注出する際に、先方に位置する注ぎ口１４ｂの開口周縁部で内容液を導くので、キャップ２０内の貯留筒部１８に流し込むことが容易にできる。
【００４０】
しかも、内側傾斜底部２６からノズル１４内壁面に亘って前記開口部２６ｂ縁を挟んで垂直方向に立ち上がり液流幅を制御する一対のガイド壁３２を設けているので、前記注出に際してこの一対のガイド壁３２が内容液を確実に導いて、キャップ２０内の貯留筒部１８等に必要量こぼさずに流し込むことができる。
【００４１】
また、前記内側傾斜底部２６には、前記内側傾斜底部２６の最後端部２６ａに至る開口部２６ｂを形成しているので、使用後のキャップ２０をノズル部材１６に嵌めた後に、キャップ２０からノズル部材１６内に垂れた内容液が外側環状傾斜底部２４と内側傾斜底部２６とを流れて前記内側傾斜底部２６の最後部に至る開口部２６ｂ周辺に集まり、その開口部２６ｂを通して容器本体１０内に流れ込ませて回収することができる。
【００４２】
また、前記実施形態において、内側傾斜底部２６および開口部２６ｂの総面積が、ノズル１４の基部１４ａからノズル１４外方向に形成された外側環状傾斜部２４の面積よりも大きく設定されていれば、ノズル１４から内容液を注出する際に、ノズル１４内の断面積を大きくとれるので、多量の内容液を流すときでも抵抗無く流すことができる。また、ノズル１４の注ぎ口１４ｂから、別途、詰め替え容器に収容された内容液を注ぎ込む際に、ノズル１４内の断面積が広くつまりノズル１４開口が広いので内容液を流し込みやすいと共に、詰め替え容器の注ぎ口をガイド壁３２内に差込んで固定できるので、柔らかくて不安定になりやすい詰め替え容器を安定して支えて容器に流し込むことができる。
【００４３】
また、実施形態においては、一対のガイド壁３２の開放幅よりもスリット２２の開放幅が広く形成されているので詰め替え容器を確実に一対のガイド壁３２間に挟み付けて支持することができ、柔らかく使用者が持つときに不安定になりやすい詰め替え容器の注出口元部をより一層安定して支えて内容液を容器に流し込むことができる。
【００４４】
尚、本発明の液体注出容器は、上記した実施の形態に限定されるものではなく、本発明の要旨を逸脱しない範囲内において種々変更を加え得ることは勿論である。キャップ２０のノズル部材１６への装着やノズル部材１６の本体容器口元への装着は実施形態のようにネジ部による螺合に限定されず、それ以外の嵌め込み固定するものにできる。
【図面の簡単な説明】
【００４５】
【図１】本発明の実施形態に係る液体注出容器の説明図であって、該液体注出容器の口元部付近を示す側面図である。
【図２】同液体注出容器のノズル部材とキャップの詳細縦断面図である。
【図３】（ａ）、（ｂ）は同ノズル部材を説明図する平面図、正面図である。
【図４】（ａ）、（ｂ）、（ｃ）は同ノズル部材を説明図する左側面図、右側面図、下面図である。
【図５】（ａ）、（ｂ）は同ノズル部材を説明図する図３（ａ）のＡ−Ａ線、Ｂ−Ｂ線にそれぞれ沿う各縦断面図である。
【図６】同ノズル部材の斜視図である。
【符号の説明】
【００４６】
１０  容器本体
１２  容器本体の口元部
１４  ノズル
１４ａ  ノズルの基部
１４ｂ  ノズルの注ぎ口
１６  ノズル部材
１８  キャップの貯留筒部
２０  キャップ
２２  スリット
２４  外側環状傾斜底部
２６  内側傾斜底部
２６ａ  内側傾斜底部の最後端部
２６ｂ  内側傾斜底部の開口部
２８  ノズルと筒状壁部間の空間
３０  筒状壁部
３０a  筒状壁部のネジ部
３２  ガイド壁
３４  キャップのフランジ部（第１の椀状装着部）
３４ａ  キャップのフランジ部のネジ部
３６  ノズル部材のフランジ部（第２の椀状装着部）
３６ａ  ノズル部材のフランジ部のネジ部
Ｓ  ノズルの軸心
ＳＦ  ノズル軸方向の先方
ＳＲ  ノズル軸方向の後方
【図１】
0005312851.tif 000002
【図２】
0005312851.tif 000003
【図３】
0005312851.tif 000004
【図４】
0005312851.tif 000005
【図５】
0005312851.tif 000006
【図６】
0005312851.tif 000007